(57)【要約】【課題】製剤や容器の破損を可及的に防止しつつ、安価に製造して容器を箱詰め包装する。【解決手段】順に連設された正面板２、一側面板３、背面板および他側面板５によって周壁を形成するとともに、内方正面板６、内方一側面板７、内方背面板および内方他側面板９によって内周壁を形成する。そして、正面板２に内方正面板６が、背面板に内方背面板がそれぞれ貼着され、また、一側面板３に対して内方一側面板７が、他側面板５に対して内方他側面板９がそれぞれ一定の隙間をおいて配設される。一方、一側面板３および他側面板５に第２糊代１６を貼着し、一側面板３および他側面板５の下端縁に連設された支持片１５を折り込むことにより、支持片１５によって容器の底面を緩衝支持する三角形を形成する。【選択図】　図２
2004017973.tif 000002
【特許請求の範囲】
【請求項１】
差込みフラップを有する上面板および下面板がそれぞれ折り目を介して上下各端縁に連設される正面板の側端縁に、一側面板、背面板、他側面板、内方正面板、内方一側面板、内方背面板、内方他側面板および第１糊代が順に折り目を介して連設される一方、一側面板および他側面板の各上端縁にサイドフラップがそれぞれ折り目を介して連設されるとともに、それらの各下端縁に支持片および第２糊代がそれぞれ順に折り目を介して連設されてなり、前記内方正面板の幅が、内方一側面板と一側面板との間に一定の隙間を有するように、正面板の幅よりも短小に形成され、また、内方背面板の幅が、内方他側面板と他側面板との間に一定の隙間を有するように、内方正面板の幅よりも短小に形成され、さらに、各支持片は、正面板、背面板の幅とほぼ同等の長さを有し、その中間よりも若干内方に一側面板、他側面板との折り目と平行な第１折り目が形成されるとともに、該第１折り目と第２糊代の折り目との間に第１折り目と平行な第２折り目が形成されることを特徴とする包装容器。
【請求項２】
前記内方一側面板および内方他側面板の各下端縁に設定範囲を除いて形成された折り目を介して下フラップがそれぞれ連設され、内方一側面板および内方他側面板に下フラップとの折り目の終端を始点とし、対向する一側面板および他側面板との隙間に略相当する高さのコ字状の切れ目がそれぞれ形成されることを特徴とする請求項１記載の包装容器。
【請求項３】
前記内方一側面板および内方他側面板の各下端縁に設定範囲を除いて形成された折り目を介して下フラップがそれぞれ連設され、内方一側面板および内方他側面板に下フラップとの折り目の終端を始点とし、対向する一側面板および他側面板との隙間に略相当する高さのコ字状の切れ目がそれぞれ形成され、また、内方一側面板および内方他側面板の各上端縁に設定範囲を除いて形成された折り目を介して上フラップがそれぞれ連設され、内方一側面板および内方他側面板に上フラップとの折り目の終端を始点とし、対向する一側面板および他側面板との隙間に略相当する高さのコ字状の切れ目がそれぞれ形成されることを特徴とする請求項１記載の包装容器。
【請求項４】
差込みフラップを有する上面板および下面板がそれぞれ折り目を介して上下各端縁に連設される正面板の側端縁に、一側面板、背面板、他側面板、内方正面板、内方一側面板、内方背面板、内方他側面板および第１糊代が順に折り目を介して連設される一方、一側面板および他側面板の各上下端縁にサイドフラップがそれぞれ折り目を介して連設され、また、内方他側面板の下端縁に支持片および第２糊代が順に折り目を介して連設されてなり、内方正面板の幅が、内方一側面板と一側面板との間に一定の隙間を有するように、正面板の幅よりも短小に形成され、また、内方背面板の幅が、内方他側面板と他側面板との間に一定の隙間を有するように、内方正面板の幅よりも短小に形成され、さらに、支持片は、内方背面板の幅の略２倍の長さを有し、その中間よりも若干内方に内方他側面板との折り目と平行な第１折り目が形成されるとともに、該第１折り目と第２糊代の折り目との間に第１折り目と平行な第２折り目が形成されることを特徴とする包装容器。
【請求項５】
前記内方他側面板に対する支持片の折り目が設定範囲を除いて形成され、内方他側面板に支持片との折り目の終端を始点とし、対向する他側面板との隙間に略相当する高さのコ字状の切れ目が形成され、また、内方一側面板の下端縁に設定範囲を除いて形成された折り目を介して下フラップが連設され、内方一側面板に下フラップとの折り目の終端を始点とし、対向する一側面板との隙間に略相当する高さのコ字状の切れ目が形成され、さらに、内方一側面板および内方他側面板の各上端縁に設定範囲を除いて形成された折り目を介して上フラップがそれぞれ連設され、内方一側面板および内方他側面板に上フラップとの折り目の終端を始点とし、対向する一側面板および他側面板との隙間に略相当する高さのコ字状の切れ目がそれぞれ形成されることを特徴とする請求項４記載の包装容器。
【発明の詳細な説明】
【０００１】
【発明の属する技術分野】
本発明は、製剤などのガラス瓶、プラスチックボトル、バイアルなどの容器を箱詰め包装する包装容器に関するものである。
【０００２】
【従来の技術】
一般に、製剤などが充填されたガラス瓶Ｃを箱詰め包装する包装箱Ａは、図１５に示すように、正面板２ａ、一側面板３ａ、背面板４ａ、他側面板５ａ、上面板１１ａおよび下面板（図示せず）から形成されている。そして、包装箱Ａを組み立てた後、コ字状に折り込んだ添付文書Ｂをガラス瓶Ｃに上方から被せ、ガラス瓶Ｃを添付文書Ｂとともに包装箱Ａの上方開口部または下方開口部を通して収納するようにしている。
【０００３】
【発明が解決しようとする課題】
しかしながら、前述した包装箱Ａは、輸送時などにおいて、意図しない衝撃が作用すると、ガラス瓶Ｃが破損したり、ガラス瓶Ｃに充填された製剤間のわずかの隙間を製剤が移動して衝突し、製剤が破損するおそれがあった。
【０００４】
このため、包装箱の各内面に沿うように寸法が設定されて箱状に形成されたダンボール製の緩衝材を包装箱内に配設し、製剤などのガラス瓶を緩衝材に沿うように収納することも提案されているが、包装箱とともに、緩衝材を別個に製造し、通常、手作業で包装箱に緩衝材を配設する必要があることから、材料費がかさむとともに、多くの時間を必要とし、作業が煩雑となるばかりでなく、全体コストが上昇するという問題がある。
【０００５】
本発明は、このような問題点に鑑みてなされたもので、製剤や容器の破損を可及的に防止しつつ、安価に製造してガラス瓶などの容器を箱詰め包装することのできる包装容器を提供するものである。
【０００６】
【課題を解決するための手段】
本発明は、差込みフラップを有する上面板および下面板がそれぞれ折り目を介して上下各端縁に連設される正面板の側端縁に、一側面板、背面板、他側面板、内方正面板、内方一側面板、内方背面板、内方他側面板および第１糊代が順に折り目を介して連設される一方、一側面板および他側面板の各上端縁にサイドフラップがそれぞれ折り目を介して連設されるとともに、それらの各下端縁に支持片および第２糊代がそれぞれ順に折り目を介して連設されてなり、前記内方正面板の幅が、内方一側面板と一側面板との間に一定の隙間を有するように、正面板の幅よりも短小に形成され、また、内方背面板の幅が、内方他側面板と他側面板との間に一定の隙間を有するように、内方正面板の幅よりも短小に形成され、さらに、各支持片は、正面板、背面板の幅とほぼ同等の長さを有し、その中間よりも若干内方に一側面板、他側面板との折り目と平行な第１折り目が形成されるとともに、該第１折り目と第２糊代の折り目との間に第１折り目と平行な第２折り目が形成されることを特徴とするものである。
【０００７】
本発明によれば、台紙を展開図にしたがって打ち抜いた後、第２糊代に接着剤を塗布し、支持片の第１折り目に沿って折り込み、第２糊代を他側面板、一側面板にそれぞれ貼着する。次いで、内方他側面板を内方背面板との折り目に沿って折り込むとともに、第１糊代に接着剤を塗布し、内方一側面板および内方背面板を該内方背面板上に折り込まれた内方他側面板とともに内方一側面板と内方正面板との折り目に沿って折り込み、第１糊代を内方正面板に貼着する。この後、内方背面板に接着材を塗布し、内方正面板および他側面板をこれらの内方正面板および他側面板上に順に折り込まれた内方他側面板、内方背面板および内方一側面板とともに他側面板と背面板との折り目に沿って折り込み、内方背面板を背面板に貼着する。次いで、正面板に接着剤を塗布し、正面板を一側面板との折り目に沿って折り込み、正面板を内方正面板に貼着する。そして、一側面板と背面板との折り目および他側面板と内方正面板との折り目に沿って起こすことにより、順に連設された正面板、一側面板、背面板、他側面板からなる周壁を形成するとともに、この外周壁の内方に、順に連設された内方正面板、内方一側面板、内方背面板および内方他側面板からなる内周壁を形成する。この際、正面板および背面板に内方正面板および内方背面板がそれぞれ貼着され、一側面板および他側面板と、これらの一側面板および他側面板にそれぞれ対向する内方一側面板および内方他側面板との間には、内方正面板および内方背面板の幅によって一定の隙間が形成される。
【０００８】
次いで、各サイドフラップを一側面板、他側面板との折り目に沿ってそれぞれ折り込むとともに、上面板を正面板との折り目に沿って折り込み、差し込みフラップを背面板の内面に沿うように差し込めば、下方開口部を開放した包装容器を形成することができる。この後、製剤などが充填されたガラス瓶などの容器を包装容器の下方開口部から挿入し、各支持片を一側面板、他側面板との折り目に沿ってそれぞれ折り込んだ後、下面板を正面板との折り目に沿って折り込み、差し込みフラップを背面板の内面に沿うように差し込めば、製剤などが充填されたガラス瓶などの容器を箱詰めした包装容器を形成することができる。
【０００９】
ここで、各支持片が一側面板、他側面板との折り目に沿って折り込まれると、一側面板、他側面板との折り目から支持片の第１折り目までの間隔が、該第１折り目から第２糊代との折り目までの間隔よりも小さいことから、各支持片によって、各支持片と一側面板、他側面板との折り目と第１折り目との間を底辺とし、支持片の第２折り目を頂点とする２個の三角形が形成されて、正面板、一側面板、背面板および他側面板からなる周壁の下方開口部をほぼ閉鎖する。
【００１０】
この結果、製剤などが充填されたガラス瓶などの容器が箱詰めされた包装容器を輸送する際、意図しない衝撃力が作用したとしても、容器が衝撃によって横移動することに追従して対応する面が変形しつつ衝撃を吸収するため、容器および製剤に衝撃力が作用せず、製剤や容器の破損を可及的に防止することができる。また、容器の底面は、支持片によって形成された三角形の頂点に支持されるため、落下などによって衝撃力が作用したとしても、三角形に形成された支持片が衝撃を吸収することができる。したがって、包装箱および箱状の緩衝材を別個に製造し、包装箱に緩衝材を配設する必要がなくなることから、コストを大きく削減することができる。
【００１１】
このように、台紙を打ち抜き、所定の折り目に沿って順に折り込むとともに、所定位置に貼着するという簡単な作業によって、緩衝機能を有する包装容器を形成することができる。
【００１２】
なお、製剤などが充填されたガラス瓶などの容器には、効能、使用要領などを記載した添付文書が同封される。この場合、コ字状に折り込んだ添付文書を製剤などが充填されたガラス瓶などの容器の上方から被せ、折り込んだ添付文書が、内方正面板および内方背面板と接触するように挿入すれば、一側面板および他側面板と一定の隙間をおいて配設された内方一側面板および内方他側面板によって容器の対向面が緩衝されるとともに、それと直交する対向面も添付文書によって緩衝されるため、好ましい。
【００１３】
本発明において、前記内方一側面板および内方他側面板の各下端縁に設定範囲を除いて形成された折り目を介して下フラップがそれぞれ連設され、内方一側面板および内方他側面板に下フラップとの折り目の終端を始点とし、対向する一側面板および他側面板との隙間に略相当する高さのコ字状の切れ目がそれぞれ形成されると、下フラップを折り込むことにより、内方一側面板および内方他側面板にそれぞれ形成されたコ字状の切れ目によって区画された部分が下フラップに連続して外方に向けて突出され、それらの先端が第２糊代を介して一側面板、他側面板の下端部にそれぞれ略当接される。このため、一側面板または他側面板に押圧力が作用した際、あるいは、衝撃力によって容器が内方一側面板または内方他側面板に押圧された際、コ字状の切れ目によって区画された部分の先端に相対的に一側面板または他側面板が当接し、コ字状の切れ目によって区画された部分が座屈することによって衝撃を吸収することができる。
【００１４】
この場合、内方一側面板、内方他側面板に対する各下フラップの折り目が、支持片による三角形の高さを考慮して、一側面板、他側面板に対する支持片の折り目よりもやや上方に位置するように形成することが好ましい。このように下フラップを連設することにより、下フラップと支持片との干渉を防止することができるとともに、下フラップが三角形の頂点に載置されるため、支持片によって形成された三角形のみの場合よりも、より緩衝効果を高めることができる。
【００１５】
また、コ字状の切れ目の数は、特に限定されず、複数個であってもよい。複数個のコ字状の切れ目を形成する場合は、折り目を間欠的に形成して、対向する折り目の終点を結んでコ字状の切れ目を形成すればよい。
【００１６】
本発明において、前記内方一側面板および内方他側面板の各下端縁に設定範囲を除いて形成された折り目を介して下フラップがそれぞれ連設され、内方一側面板および内方他側面板に下フラップとの折り目の終端を始点とし、対向する一側面板および他側面板との隙間に略相当する高さのコ字状の切れ目がそれぞれ形成され、また、内方一側面板および内方他側面板の各上端縁に設定範囲を除いて形成された折り目を介して上フラップがそれぞれ連設され、内方一側面板および内方他側面板に上フラップとの折り目の終端を始点とし、対向する一側面板および他側面板との隙間に略相当する高さのコ字状の切れ目がそれぞれ形成されると、下フラップを折り込むことにより、内方一側面板および内方他側面板にそれぞれ形成されたコ字状の切れ目によって区画された部分が下フラップに連続して外方に向けて突出され、それらの先端が第２糊代を介して一側面板、他側面板の下端部にそれぞれ略当接される。また、上フラップを折り込むことにより、内方一側面板および内方他側面板にそれぞれ形成されたコ字状の切れ目によって区画された部分が上フラップに連続して外方に向けて突出され、それらの先端が一側面板、他側面板の上端部にそれぞれ略当接される。このため、一側面板または他側面板に押圧力が作用した際、あるいは、衝撃力によって容器が内方一側面板または内方他側面板に押圧された際、上下のコ字状の切れ目によって区画された部分の先端に相対的に一側面板または他側面板が当接し、コ字状の切れ目によって区画された部分が個々に座屈することによって衝撃をさらに吸収することができる。
【００１７】
この場合も、内方一側面板、内方他側面板に対する各下フラップの折り目が、支持片による三角形の高さを考慮して、一側面板、他側面板に対する支持片の折り目よりもやや上方に位置するように形成すると、下フラップと支持片との干渉を防止することができるとともに、下フラップが三角形の頂点に載置されるため、支持片によって形成された三角形のみの場合よりも、より緩衝効果を高めることができる。
【００１８】
また、コ字状の切れ目の数は、特に限定されず、複数個であってもよい。複数個のコ字状の切れ目を形成する場合は、折り目を間欠的に形成して、対向する折り目の終点を結んでコ字状の切れ目を形成すればよい。
【００１９】
また、本発明は、差込みフラップを有する上面板および下面板がそれぞれ折り目を介して上下各端縁に連設される正面板の側端縁に、一側面板、背面板、他側面板、内方正面板、内方一側面板、内方背面板、内方他側面板および第１糊代が順に折り目を介して連設される一方、一側面板および他側面板の各上下端縁にサイドフラップがそれぞれ折り目を介して連設され、また、内方他側面板の下端縁に支持片および第２糊代が順に折り目を介して連設されてなり、内方正面板の幅が、内方一側面板と一側面板との間に一定の隙間を有するように、正面板の幅よりも短小に形成され、また、内方背面板の幅が、内方他側面板と他側面板との間に一定の隙間を有するように、内方正面板の幅よりも短小に形成され、さらに、支持片は、内方背面板の幅の略２倍の長さを有し、その中間よりも若干内方に内方他側面板との折り目と平行な第１折り目が形成されるとともに、該第１折り目と第２糊代の折り目との間に第１折り目と平行な第２折り目が形成されることを特徴とするものである。
【００２０】
本発明によれば、台紙を展開図にしたがって打ち抜いた後、第２糊代に接着剤を塗布し、支持片の第１折り目に沿って折り込み、第２糊代を内方他側面板に貼着する。次いで、内方他側面板を内方背面板との折り目に沿って折り込むとともに、第１糊代に接着剤を塗布し、内方一側面板および内方背面板を該内方背面板上に折り込まれた内方他側面板とともに内方一側面板と内方正面板との折り目に沿って折り込み、第１糊代を内方正面板に貼着する。この後、内方背面板に接着材を塗布し、内方正面板および他側面板をこれらの内方正面板および他側面板上に順に折り込まれた内方他側面板、内方背面板および内方一側面板とともに他側面板と背面板との折り目に沿って折り込み、内方背面板を背面板に貼着する。次いで、正面板に接着剤を塗布し、正面板を一側面板との折り目に沿って折り込み、正面板を内方正面板に貼着する。そして、一側面板と背面板との折り目および他側面板と内方正面板との折り目に沿って起こすことにより、順に連設された正面板、一側面板、背面板、他側面板からなる周壁を形成するとともに、この外周壁の内方に、順に連設された内方正面板、内方一側面板、内方背面板および内方他側面板からなる内周壁を形成する。この際、正面板および背面板に内方正面板および内方背面板がそれぞれ貼着され、一側面板および他側面板と、これらの一側面板および他側面板にそれぞれ対向する内方一側面板および内方他側面板との間には、内方正面板および内方背面板の幅によって一定の隙間が形成される。
【００２１】
次いで、上方のサイドフラップを一側面板、他側面板との折り目に沿ってそれぞれ折り込むとともに、上面板を正面板との折り目に沿って折り込み、差し込みフラップを背面板の内面に沿うように差し込めば、下方開口部を開放した包装容器を形成することができる。この後、製剤などが充填されたガラス瓶などの容器を包装容器の下方開口部から挿入し、支持片を内方他側面板との折り目に沿って折り込んだ後、下面板を正面板との折り目に沿って折り込み、差し込みフラップを背面板の内面に沿うように差し込めば、製剤などが充填されたガラス瓶などの容器を箱詰めした包装容器を形成することができる。
【００２２】
ここで、支持片が内方他側面板との折り目に沿って折り込まれると、内方他側面板との折り目から支持片の第１折り目までの間隔が、該第１折り目から第２糊代との折り目までの間隔よりも小さいことから、支持片によって、支持片と内方他側面板との折り目と第１折り目との間を底辺とし、支持片の第２折り目を頂点とする三角形が形成されて、内方正面板、内方一側面板、内方背面板および内方他側面板からなる内周壁の下方開口部をほぼ閉鎖する。
【００２３】
この結果、製剤などが充填されたガラス瓶などの容器が箱詰めされた包装容器を輸送する際、意図しない衝撃力が作用したとしても、容器が衝撃によって横移動することに追従して対応する面が変形しつつ衝撃を吸収するため、容器および製剤に衝撃力が作用せず、製剤や容器の破損を可及的に防止することができる。また、容器の底面は、支持片によって形成された三角形の頂点に支持されるため、落下などによって衝撃力が作用したとしても、三角形に形成された支持片が衝撃を吸収することができる。したがって、包装箱および箱状の緩衝材を別個に製造し、包装箱に緩衝材を配設する必要がなくなることから、コストを大きく削減することができる。
【００２４】
このように、台紙を打ち抜き、所定の折り目に沿って順に折り込むとともに、所定位置に貼着するという簡単な作業によって、緩衝機能を有する包装容器を形成することができる。
【００２５】
なお、製剤などが充填されたガラス瓶などの容器には、効能、使用要領などを記載した添付文書が同封される。この場合、コ字状に折り込んだ添付文書を製剤などが充填されたガラス瓶などの容器の上方から被せ、折り込んだ添付文書が、内方正面板および内方背面板と接触するように挿入すれば、一側面板および他側面板と一定の隙間をおいて配設された内方一側面板および内方他側面板によって容器の対向面が緩衝されるとともに、それと直交する対向面も添付文書によって緩衝されるため、好ましい。
【００２６】
本発明において、前記内方他側面板に対する支持片の折り目が設定範囲を除いて形成され、内方他側面板に支持片との折り目の終点を始点とし、対向する他側面板との隙間に略相当する高さのコ字状の切れ目が形成され、また、内方一側面板の下端縁に設定範囲を除いて形成された折り目を介して下フラップが連設され、内方一側面板に下フラップとの折り目の終点を始点とし、対向する一側面板との隙間に略相当する高さのコ字状の切れ目が形成され、さらに、内方一側面板および内方他側面板の各上端縁に設定範囲を除いて形成された折り目を介して上フラップがそれぞれ連設され、内方一側面板および内方他側面板に上フラップとの折り目の終点を始点とし、対向する一側面板および他側面板との隙間に略相当する高さのコ字状の切れ目がそれぞれ形成されると、下フラップおよび支持片を折り込むことにより、内方一側面板および内方他側面板にそれぞれ形成されたコ字状の切れ目によって区画された部分が下フラップおよび支持片に連続して外方に向けて突出され、それらの先端が一側面板、他側面板の下端部にそれぞれ略当接される。また、上フラップを折り込むことにより、内方一側面板および内方他側面板にそれぞれ形成されたコ字状の切れ目によって区画された部分が上フラップに連続して外方に向けて突出され、それらの先端が一側面板、他側面板の上端部にそれぞれ略当接される。このため、一側面板または他側面板に押圧力が作用した際、あるいは、衝撃力によって容器が内方一側面板または内方他側面板に押圧された際、上下のコ字状の切れ目によって区画された部分の先端に相対的に一側面板または他側面板が当接し、コ字状の切れ目によって区画された部分が個々に座屈することによって衝撃をさらに吸収することができる。
【００２７】
なお、コ字状の切れ目の数は、特に限定されず、複数個であってもよい。複数個のコ字状の切れ目を形成する場合は、折り目を間欠的に形成して、対向する折り目の終点を結んでコ字状の切れ目を形成すればよい。
【００２８】
【発明の実施の形態】
以下、本発明の実施の形態を図面に基づいて詳細に説明する。
【００２９】
図１乃至図４には、本発明の包装容器１の一実施形態が示されている。
【００３０】
この包装容器１は、図１０に示すように、製剤などが充填されたガラス瓶Ｃを添付文書Ｂとともに箱詰め包装するものであり、コートボールを図５に示す展開図にしたがって打ち抜いた後、折り目に沿って折り込むとともに、所定部分を貼着して組み立てられる。
【００３１】
この包装容器１は、図５の展開図において、上端縁に上面板１１および差込みフラップ１３が順に折り目ｉ，ｋを介して連設されるとともに、下端縁に下面板１２および差込みフラップ１３が順に折り目ｊ，ｋを介して連設される正面板２の側端縁に、一側面板３、背面板４、他側面板５、内方正面板６、内方一側面板７、内方背面板８、内方他側面板９および第１糊代１０が順に折り目ａ，ｂ，ｃ，ｄ，ｅ，ｆ，ｇ，ｈを介して連設される一方、一側面板３および他側面板５の各上端縁にそれぞれサイドフラップ１４が折り目ｍを介して連設されるとともに、一側面板３および他側面板５の各下端縁にそれぞれ支持片１５および第２糊代１６が順に折り目ｎ，ｐを介して連設され、また、内方一側面板７および内方他側面板９の各下端縁にそれぞれ下フラップ１７が折り目ｑを介して連設されて構成されている。
【００３２】
そして、支持片１５の長さ（折り目ｎ，ｐの間隔）は、背面板４の幅（折り目ｂ，ｃの間隔）に略設定され、その中間よりもやや内方に位置して一側面板３、他側面板５との折り目ｎと平行な第１折り目ｒが形成されるとともに、該第１折り目ｒと第２糊代１６の折り目ｐとの間に位置して第１折り目ｒと平行な第２折り目ｓが形成されている。
【００３３】
また、内方一側面板７、他側面板９と各下フラップ１７との折り目ｑは、略中間の設定範囲を除いて形成され、内方一側面板７、他側面板９には、下フラップ１７との折り目ｑの各終端を始点とするコ字状の切れ目ｔがそれぞれ形成されている。ここで、各コ字状の切れ目ｔの高さは、後述するように、内方一側面板７と一側面板３との隙間、内方他側面板９と他側面板５との隙間に略一致するように設定されている。
【００３４】
さらに、内方正面板６の幅（折り目ｄ，ｅの間隔）は、正面板２の幅（左右側端縁間の間隔）よりも若干小さく設定され、また、内方背面板８の幅（折り目ｆ，ｇの間隔）は、内方正面板６の幅よりも若干小さく、具体的には、正面板２の幅と内方正面板６の幅との差に相当する間隔だけ小さく設定されている。
【００３５】
なお、正面板２、一側面板３、背面板４、他側面板５、内方一側面板７および内方他側面板９の各幅は、同一に設定されている。
【００３６】
次に、このように構成された包装容器１の組み立て手順について説明する。
【００３７】
まず、図５の展開図にしたがってコートボールを打ち抜いた後、各第２糊代１６の表面に接着剤をそれぞれ塗布し、各支持片１５の第１折り目ｒに沿ってそれぞれ谷折りし、各第２糊代１６を一側面板３、他側面板５の表面にそれぞれ貼着する一方、内方他側面板９を折り目ｇに沿って谷折りし、第１糊代１０の裏面に接着剤を塗布する（図６参照）。次いで、内方一側面板７および内方背面板８を該内方背面板８上に折り込まれた内方他側面板９とともに折り目ｅに沿って谷折りし、第１糊代１０を内方正面板６の表面に貼着する（図７参照）。この後、内方背面板８の裏面に接着剤を塗布し、他側面板５および内方正面板６をこれらの他側面板５および内方正面板６上に順に折り込まれた内方一側面板７、内方背面板８および内方他側面板９とともに折り目ｃに沿って谷折りし、内方背面板８を背面板４の表面に貼着する（図８参照）。
【００３８】
次いで、正面板２の表面に接着剤を塗布し、正面板２を折り目ａに沿って谷折りし、正面板２を内方正面板６の裏面に貼着する（図９参照）。そして、一側面板３と背面板４との折り目ｂおよび他側面板５と内方正面板６との折り目ｄに沿って山折りして起こすことにより、順に連設された正面板２、一側面板３、背面板４、他側面板５からなる周壁を形成することができるとともに、この周壁の内方に、順に連設された内方正面板６、内方一側面板７、内方背面板８および内方他側面板９からなる内周壁を形成することができる。
【００３９】
この際、正面板２に内方正面板６が、背面板４に内方背面板８がそれぞれ貼着され、一側面板３および該一側面板３に対向する内方一側面板７との間、他側面板５および該他側面板５に対向する内方他側面板９との間には、内方正面板６および内方背面板８の幅によって一定の隙間が形成されている。
【００４０】
次いで、各サイドフラップ１４を折り目ｍに沿ってそれぞれ谷折りした後、上面板１１を折り目ｉに沿って谷折りし、差し込みフラップ１３を背面板４の内面に沿うように差し込めば、上方開口部を閉鎖する一方、下方開口部を開放した包装容器１（図１０（ａ）参照）を形成することができる。
【００４１】
このようにして下方開口部を開放した包装容器１が形成されたならば、略コ字状に折り込まれた添付文書Ｂを、製剤などが充填されたガラス瓶Ｃの上方から被せ、ガラス瓶Ｃを添付文書Ｂとともに、下方開口部を通して包装容器１の内部に挿入し、収納する。この際、ガラス瓶Ｃに被せられたコ字状の添付文書Ｂは、対向する内方正面板６および内方背面板８に接触するように挿入される（図１０（ａ）参照）。
【００４２】
次いで、内方他側面板９に連設された下フラップ１７を折り目ｑに沿って谷折りするとともに、他側面板５に連設された支持片１５を折り目ｎに沿って谷折りした後、内方一側面板７に連設された下フラップ１７を折り目ｑに沿って谷折りするとともに、一側面板３に連設された支持片１５を折り目ｎに沿って谷折りし、下面板１２を折り目ｊに沿って折り込み、差し込みフラップ１３を背面板４の内面に沿うように差し込めば、下方開口部を閉鎖して包装容器１を形成することができる。
【００４３】
ここで、各下フラップ１７を折り目ｑに沿ってそれぞれ谷折りすることにより、内方一側面板７および内方他側面板９にそれぞれ形成されたコ字状の切れ目ｔによって区画された係止片１９が各下フラップ１７に連続して外方に向けて突出される。そして、各係止片１９は、その先端が他側面板５、一側面板３の内面、正確には、他側面板５、一側面板３の内面に貼着された第２糊代１６の下端部にそれぞれ略当接される（図３参照）。このため、一側面板３または他側面板５に押圧力が作用した際、あるいは、衝撃力によってガラス瓶Ｃが内方一側面板７または内方他側面板９に押圧された際、相対的に係止片１９の先端に一側面板３または他側面板５が当接し、係止片１９が座屈することによって衝撃を吸収することができる。
【００４４】
また、各支持片１５を折り目ｎに沿ってそれぞれ谷折りすることにより、折り目ｎから第１折り目ｒまでの間隔が、背面板４の幅の略半分であり、しかも、第１折り目ｒから折り目ｐまでの間隔よりも小さいことから、各支持片１５は、折り目ｎと第１折り目ｒとの間を底辺とし、第２折り目ｓを頂点とする鈍角三角形をそれぞれ形成し、２個の鈍角三角形によって、正面板、一側面板、背面板および他側面板からなる周壁の下方開口部をほぼ閉鎖するものである（図２および図３参照）。
【００４５】
しかも、各支持片１５によって形成された鈍角三角形の頂点である第２折り目ｓは、下フラップ１７の外面に当接されている。すなわち、ガラス瓶Ｃの底面は、下フラップ１７を介して鈍角三角形に形成された各支持片１５の頂点（折り目ｓ）によって支持されている。このため、落下などにより下面板１２に押圧力が作用した際、あるいは、ガラス瓶Ｃが下フラップ１７に押圧された際、支持片１５によって形成された鈍角三角形および下フラップ１７によって衝撃を吸収することができる。
【００４６】
この結果、コートボールを打ち抜き、順次折り目に沿って折り込むとともに、所定位置に貼着するという簡単な作業によって、ガラス瓶Ｃの対向する面を緩衝支持する内周壁を有するとともに、その底面を緩衝支持する三角形を有する包装容器１を形成することができる。したがって、包装箱とは別個に緩衝材を用意して組み立て、包装箱に配設する必要がなく、コストを削減することができる。
【００４７】
さらに、ガラス瓶Ｃが箱詰め包装された包装容器１を輸送する際、意図しない衝撃力が作用したとしても、前述したように、内周壁、具体的には、内方一側面板７または内方他側面板９が変形しつつ衝撃を吸収するため、あるいは、支持片１５によって形成された鈍角三角形および下フラップ１７によって衝撃を吸収するため、ガラス瓶Ｃおよび製剤に衝撃力が作用せず、製剤やガラス瓶Ｃの破損を可及的に防止することができる。
【００４８】
なお、ガラス瓶Ｃに被せられた添付文書Ｂは、正面板２に貼着された内方正面板６および背面板４に貼着された内方背面板８に接触するように挿入されていることから、正面板２または背面板４に作用した衝撃力は、添付文書Ｂによってガラス瓶Ｃを緩衝支持することができる。
【００４９】
なお、前述した実施形態においては、下フラップ１７のみを設けた場合を説明したが、上フラップを合わせて設けるようにしてもよい。具体的には、図１１および図１２に示すように、先に示した図５の展開図において、内方一側面板７および内方他側面板９の各上端縁にそれぞれ上フラップ１８を折り目ｕを介して連設してもよい。この場合、下部側と同様に、折り目ｕが略中間の設定範囲を除いて形成され、内方一側面板７、他側面板９に上フラップ１８との折り目ｕの各終端を始点とするとともに、内方一側面板７と一側面板３との間隔、内方他側面板９と他側面板５との間隔に略一致する高さのコ字状の切れ目ｔが形成されていることが好ましい。
【００５０】
このようにコ字状の切れ目ｔが上部にも形成されていると、包装容器１を組み立てた場合、コ字状の切れ目ｔからなる上下の係止片１９によって一側面板３および他側面板５の上下を緩衝支持することができる。
【００５１】
ところで、前述した実施形態においては、一側面板３および他側面板５の各下端縁にそれぞれ支持片１５および第２糊代１６を順に折り目ｎ，ｐを介して連設し、包装容器１を組み立てた際、各支持辺１５によって２個の三角形を形成してガラス瓶Ｃを緩衝支持する場合を説明したが、単一の支持片からなる三角形によってガラス瓶Ｃの底面を緩衝支持するようにしてもよい。
【００５２】
以下、このような包装容器１の他の実施形態について、図１３および図１４に基づいて説明する。
【００５３】
なお、説明の便宜上、先に説明した部材と同一の部材については、同一の符号を付して、その詳細な説明を省略する。
【００５４】
この実施形態の包装容器１は、図１４の展開図において、上端縁に上面板１１および差込みフラップ１３が順に折り目ｉ，ｋを介して連設されるとともに、下端縁に下面板１２および差込みフラップ１３が順に折り目ｊ，ｋを介して連設される正面板２の側端縁に、一側面板３、背面板４、他側面板５、内方正面板６、内方一側面板７、内方背面板８、内方他側面板９および第１糊代１０が順に折り目ａ，ｂ，ｃ，ｄ，ｅ，ｆ，ｇ，ｈを介して連設される一方、一側面板３および他側面板５の各上下端縁にそれぞれサイドフラップ１４が折り目ｍを介して連設され、また、内方一側面板７の下端縁に下フラップ１７が折り目ｑを介して連設されるとともに、その上端縁に上フラップ１８が折り目ｕを介して連設され、さらに、内方他側面板９の下端縁に支持片１５１および第２糊代１６が順に折り目ｎ，ｐを介して連設されるとともに、その上端縁に上フラップ１８が折り目ｕを介して連設されて構成されている。
【００５５】
そして、支持片１５１の長さ（折り目ｎ，ｐの間隔）は、内方背面板８の幅（折り目ｆ，ｇの間隔）の略２倍に設定され、その中間よりもやや内方に位置して内方他側面板９との折り目ｎと平行な第１折り目ｒが形成されるとともに、該第１折り目ｒと第２糊代１６の折り目ｐとの間に位置して第１折り目ｒと平行な第２折り目ｓが形成されている。
【００５６】
また、下フラップ１７の折り目ｑ、上フラップ１８の折り目ｕ、支持片１５１の折り目ｎは、略中間の設定範囲を除いて形成されている。そして、内方一側面板７には、下フラップ１７との折り目ｑの各終端を始点とするコ字状の切れ目ｔが形成されるとともに、上フラップ１８との折り目ｕの各終端を始点とするコ字状の切れ目ｔが形成されている。また、内方他側面板９には、支持片１５１との折り目ｎの各終端を始点とするコ字状の切れ目ｔが形成されるとともに、上フラップ１８との折り目ｕの各終端を始点とするコ字状の切れ目ｔが形成されている。ここで、各コ字状の切れ目ｔの高さは、内方一側面板７と一側面板３との隙間、内方他側面板９と他側面板５との隙間に略一致するように設定されている。
【００５７】
このような包装容器１を組み立てる場合も、前述した実施形態の場合と同様に、まず、図１４の展開図にしたがってコートボールを打ち抜いた後、第２糊代１６の表面に接着剤を塗布し、支持片１５１の第１折り目ｒに沿って谷折りし、第２糊代１６を内方他側面板９の表面に貼着した後、内方他側面板９を折り目ｇに沿って谷折りし、第１糊代１０の裏面に接着剤を塗布し、次いで、内方一側面板７および内方背面板８を先に折り込まれた内方他側面板９とともに折り目ｅに沿って谷折りし、第１糊代１０を内方正面板６の表面に貼着した後、内方背面板８の裏面に接着剤を塗布し、内方正面板６および他側面板５を先に折り込まれた内方他側面板９、内方背面板８および内方一側面板７とともに折り目ｃに沿って谷折りし、内方背面板８を背面板４の表面に貼着し、次いで、正面板２の表面に接着剤を塗布し、正面板２を折り目ａに沿って谷折りし、正面板２を内方正面板６の裏面に貼着した後、一側面板３と背面板４との折り目ｂおよび他側面板５と内方正面板６との折り目ｄに沿って山折りして起こすことにより、包装容器１を形成することができる。
【００５８】
この実施形態においても、順に連設された正面板２、一側面板３、背面板４、他側面板５からなる周壁が形成されるとともに、この周壁の内方に、順に連設された内方正面板６、内方一側面板７、内方背面板８および内方他側面板９からなる内周壁が形成される。
【００５９】
この際、一側面板３および内方一側面板７との間、他側面板５および内方他側面板９との間には、内方正面板６および内方背面板８の幅によって一定の隙間が形成されている。
【００６０】
次いで、上方のサイドフラップ１４を折り目ｍに沿ってそれぞれ谷折りした後、上面板１１を折り目ｉに沿って谷折りし、差し込みフラップ１３を背面板４の内面に沿うように差し込めば、上方開口部を閉鎖する一方、下方開口部を開放した包装容器１を形成することができる。
【００６１】
この後、略コ字状に折り込まれた添付文書Ｂを、製剤などが充填されたガラス瓶Ｃの上方から被せ、ガラス瓶Ｃを添付文書Ｂとともに、下方開口部を通して包装容器１の内部に挿入し、収納する。この際、ガラス瓶Ｃに被せられたコ字状の添付文書Ｂは、対向する内方正面板６および内方背面板８に接触するように挿入される。
【００６２】
次いで、支持片１５１を折り目ｎに沿って谷折りした後、下フラップ１７を折り目ｑに沿って谷折りし、次いで、下方の各サイドフラップ１４を折り目ｍに沿って谷折りした後、下面板１２を折り目ｊに沿って折り込み、差し込みフラップ１３を背面板４の内面に沿うように差し込めば、下方開口部を閉鎖して包装容器１を形成することができる。
【００６３】
ここで、支持片１５１を折り目ｎに沿って谷折りすることにより、内方他側面板９に形成されたコ字状の切れ目ｔによって区画された係止片１９が支持片１５１に連続して外方に向けて突出される。また、下フラップ１７を折り目ｑに沿って谷折りすることにより、内方一側面板７に形成されたコ字状の切れ目ｔによって区画された係止片１９が下フラップ１７に連続して外方に向けて突出される。同様に、各上フラップ１８を折り目ｕに沿ってそれぞれ谷折りすることにより、内方一側面板７および内方他側面板９にそれぞれ形成されたコ字状の切れ目ｔによって区画された係止片１９が各上フラップ１８に連続して外方に向けて突出される。そして、各係止片１９は、その先端が一側面板３および他側面板５の上下端部に略当接される。このため、一側面板３または他側面板５に押圧力が作用した際、あるいは、衝撃力によってガラス瓶Ｃが内方一側面板７または内方他側面板９に押圧された際、相対的に係止片１９の先端に一側面板３または他側面板５が当接し、係止片１９が座屈することによって衝撃を吸収することができる。
【００６４】
また、支持片１５１を折り目ｎに沿って谷折りすることにより、折り目ｎから第１折り目ｒまでの間隔が、内方背面板８の幅に略一致し、しかも、第１折り目ｒから折り目ｐまでの間隔よりも小さいことから、支持片１５１は、対向する内方正面板７および内方背面板９間の間隔に略相当する折り目ｎと第１折り目ｒとの間を底辺とし、第２折り目ｓを頂点とする鈍角三角形を形成し、内方正面板６、内方一側面板７、内方背面板８および内方他側面板９からなる内周壁の下方開口部をほぼ閉鎖するものである（図１３参照）。すなわち、ガラス瓶Ｃの底面は、鈍角三角形に形成された支持片１５１の頂点（折り目ｓ）によって支持されている。このため、落下などにより下面板１２に押圧力が作用した際、あるいは、ガラス瓶Ｃが下方に押圧された際、支持片１５１によって形成された鈍角三角形によって衝撃を吸収することができる。
【００６５】
この結果、コートボールを打ち抜き、順次折り目に沿って折り込むとともに、所定位置に貼着するという簡単な作業によって、ガラス瓶Ｃの対向する面を緩衝支持する内周壁を有するとともに、その底面を緩衝支持する三角形を有する包装容器１を形成することができる。したがって、包装箱とは別個に緩衝材を用意して組み立て、包装箱に配設する必要がなく、コストを削減することができる。
【００６６】
さらに、ガラス瓶Ｃが箱詰め包装された包装容器１を輸送する際、意図しない衝撃力が作用したとしても、前述したように、内周壁、具体的には、内方一側面板７または内方他側面板９が変形しつつ衝撃を吸収するため、あるいは、支持片１５１によって形成された鈍角三角形が衝撃を吸収するため、ガラス瓶Ｃおよび製剤に衝撃力が作用せず、製剤やガラス瓶Ｃの破損を可及的に防止することができる。
【００６７】
この場合も、ガラス瓶Ｃに被せられた添付文書Ｂは、正面板２に貼着された内方正面板６および背面板４に貼着された内方背面板８に接触するように挿入されていることから、正面板２または背面板４に作用した衝撃力は、添付文書Ｂによってガラス瓶Ｃを緩衝支持することができる。
【００６８】
【発明の効果】
以上のように本発明によれば、製剤や容器の破損を可及的に防止しつつ、安価に製造してガラス瓶などの容器を箱詰め包装することができる。
【図面の簡単な説明】
【図１】本発明の包装容器の一実施形態を示す斜視図である。
【図２】図１の包装容器を模式的に示す縦断面図である。
【図３】図１の包装容器を模式的に示す横断面図である。
【図４】図１の包装容器の下部を示す斜視図である。
【図５】図１の包装容器の展開図である。
【図６】図１の包装容器の組み立て手順を示す説明図である。
【図７】図１の包装容器の組み立て手順を示す説明図である。
【図８】図１の包装容器の組み立て手順を示す説明図である。
【図９】図１の包装容器の組み立て手順を示す説明図である。
【図１０】図１の包装容器にガラス瓶を収納する手順を示す説明図およびガラス瓶の収納状態を一部破断して示す斜視図である。
【図１１】本発明の包装容器の一実施形態の変形例を示す斜視図である。
【図１２】図１１の包装容器の展開図である。
【図１３】本発明の包装容器の他の実施形態を示す斜視図である。
【図１４】図１３の包装容器の展開図である。
【図１５】従来の包装箱をガラス瓶とともに示す斜視図である。
【符号の説明】
１　包装容器
２　正面板
３　一側面板
４　背面板
５　他側面板
６　内方正面板
７　内方一側面板
８　内方背面板
９　内方他側面板
１０　第１糊代
１１　上面板
１２　下面板
１４　サイドフラップ
１５，１５１　支持片
１６　第２糊代
１７　下フラップ
１８　上フラップ
１９　係止片
ａ，ｂ，ｃ，ｄ，ｅ，ｆ，ｇ，ｈ，ｉ，ｊ，ｋ，ｍ，ｎ，ｐ，ｑ，ｕ　折り目
ｒ　第１折り目
ｓ　第２折り目
ｔ　コ字状の切れ目
Ｂ　添付文書
Ｃ　ガラス瓶
【図１】
2004017973.tif 000003
【図２】
2004017973.tif 000004
【図３】
2004017973.tif 000005
【図４】
2004017973.tif 000006
【図５】
2004017973.tif 000007
【図６】
2004017973.tif 000008
【図７】
2004017973.tif 000009
【図８】
2004017973.tif 000010
【図９】
2004017973.tif 000011
【図１０】
2004017973.tif 000012
【図１１】
2004017973.tif 000013
【図１２】
2004017973.tif 000014
【図１３】
2004017973.tif 000015
【図１４】
2004017973.tif 000016
【図１５】
2004017973.tif 000017